(57)【特許請求の範囲】
【請求項１】
購入代金として顧客より支払われた商品券等の金券類を入金処理する金券類入金処理機と、買い上げ商品についての販売額情報を登録する機能を有するレジとからなる金券類入金システムにおいて、
前記レジは前記金券類入金処理機へ前記販売額情報を送信する通信手段を備え、
前記金券類入金処理機は、
前記金券類上に設けられている金種コードを読取る識別手段と、
前記レジから送信された前記販売額情報を受信する通信インターフェースと、
前記識別手段にて読取った前記購入代金として顧客より支払われた商品券等の金券類の額面情報及び枚数情報と、前記通信インターフェースより受信した前記販売額情報とから釣銭額を演算する釣銭額演算手段と、
前記釣銭額演算手段によって演算された釣銭額と、前記識別手段によって識別された前記金券類のうちの最小の額面のものとを比較して換金行為の有無を判断する換金有無判断手段と、
前記釣銭額が前記最小の額面を上回っていることにより前記換金有無判別手段が換金行為有りと判断した場合に報知する報知手段とを具備することを特徴とする金券類入金処理機とレジとからなる金券類入金システム。
【請求項２】
購入代金として顧客より支払われた商品券等の金券類を入金処理する金券類入金処理機と、買い上げ商品についての販売額情報を登録する機能を有するレジとからなる金券類入金システムにおいて、
前記金券類入金処理機は、
前記金券類上に設けられている金種コードを読取る識別手段と、
前記識別手段にて読取った前記購入代金として顧客より支払われた商品券等の金券類の額面情報と枚数情報とを前記レジに送信する通信インターフェースとを備え、
前記レジは、
前記金券類入金処理機から送信された前記額面情報と前記枚数情報を受信する通信手段と、
前記販売額情報と前記額面情報及び前記枚数情報とから釣銭額を演算する釣銭額演算手段と、
前記釣銭額演算手段によって演算された釣銭額と、前記額面情報のうちの最小の額面のものとを比較して換金行為の有無を判断する換金有無判断手段と、
前記釣銭額が前記最小の額面を上回っていることにより前記換金有無判別手段が換金行為有りと判断した場合に報知する報知手段とを具備することを特徴とする金券類入金処理機とレジとからなる金券類入金システム。
【発明の詳細な説明】
【０００１】
【発明の属する技術分野】
本発明は小売店舗等の売場に設置される、商品券等の金券類を入金処理する金券類入金処理機とレジとからなる金券類入金システムに関するもので、特に購入代金として顧客より支払われた商品券に釣銭額があるときに、換金行為の発生を防止するようにしたシステムに関する。
【０００２】
【従来の技術】
商品券を機械処理する装置はこれまで数多く提案されているが、商品券の持つ特徴の１つである換金防止について機械処理上どう扱うかについて開示されたものはない。
【０００３】
【発明が解決しようとする課題】
商品券利用上の制約として、商品券にて商品を購入した際に釣銭が発生し、この釣銭額がその使用された商品券の額面を上回るような場合には、実質的に商品券の換金に相当するので釣銭として支払ってはならないとされている。このようなケースの典型例としては、顧客が８９８０円の商品を購入して額面１０００円の商品券９枚で支払うべきところを錯覚して１０枚差し出す場合や、故意に換金目的をもって１０枚以上差し出す場合である。その場合、人手による処理であれば、キャッシャが枚数を数える段階で、異常に気付き換金行為には至らないで済むものと思われるが、機械処理する場合においては、通常額面金額の合計のみ（額面１万円の商品券１枚と額面１０００円の商品券１０枚とを区別しないなど）によって処理が行われるので、このような異常に気付かない可能性がある。
【０００４】
本発明は上述のような事情から成されたものであり、本発明の目的は、購入代金として顧客より支払われた商品券等の金券類を入金処理する際に、単純に当該金券類の額面金額の合計として扱うのではなく、額面と枚数とから成る明細データとして扱うことによって、換金行為の発生を防止することができる、金券類入金処理機とレジとからなる金券類入金システムを提供することにある。
【０００５】
【課題を解決するための手段】
本発明は、購入代金として顧客より支払われた商品券等の金券類を入金処理する金券類入金処理機と、買い上げ商品についての販売額情報を登録する機能を有するレジとからなる金券類入金システムに関するものであり、本発明の上記目的は、前記レジは前記金券類入金処理機へ前記販売額情報を送信する通信手段を備え、前記金券類入金処理機は、前記金券類上に設けられている金種コードを読取る識別手段と、前記レジから送信された前記販売額情報を受信する通信インターフェースと、前記識別手段にて読取った前記購入代金として顧客より支払われた商品券等の金券類の額面情報及び枚数情報と、前記通信インターフェースより受信した前記販売額情報とから釣銭額を演算する釣銭額演算手段と、前記釣銭額演算手段によって演算された釣銭額と、前記識別手段によって識別された前記金券類のうちの最小の額面のものとを比較して換金行為の有無を判断する換金有無判断手段と、前記釣銭額が前記最小の額面を上回っていることにより前記換金有無判別手段が換金行為有りと判断した場合に報知する報知手段とを具備することによって達成される。
【０００６】
あるいは、前記金券類入金処理機は、前記金券類上に設けられている金種コードを読取る識別手段と、前記識別手段にて読取った前記購入代金として顧客より支払われた商品券等の金券類の額面情報と枚数情報とを前記レジに送信する通信インターフェースとを備え、前記レジは、前記金券類入金処理機から送信された前記額面情報と前記枚数情報を受信する通信手段と、前記販売額情報と前記額面情報及び前記枚数情報とから釣銭額を演算する釣銭額演算手段と、前記釣銭額演算手段によって演算された釣銭額と、前記額面情報のうちの最小の額面のものとを比較して換金行為の有無を判断する換金有無判断手段と、前記釣銭額が前記最小の額面を上回っていることにより前記換金有無判別手段が換金行為有りと判断した場合に報知する報知手段とを具備することによって達成される。
【０００７】
【発明の実施の形態】
以下、図面に基づいて本発明の好適な実施例について詳細に説明する。なお、金券類入金システムが取扱う金券類としては、全国共通百貨店商品券や銀行クレジット系商品券などの商品券を例として説明する。
【０００８】
図１は本発明に係る金券類入金システムの一部を構成する金券類入金処理機の外観図である。図１において、金券類入金処理機１０の筐体正面の上部には、凹状の切り欠けを有する商品券投入部１とリジェクト部２とがそれぞれ設けられており、その下方にはカセット式の一時保留部３と収納部４が設けられている。筐体上部に設けられている操作／表示部５は、操作ボタンや液晶ディスプレイ、商品券リジェクトランプ等から構成されている。
【０００９】
本金券類入金処理機１０は、図２に示すようにレジスタ２０（以下「レジ」と呼ぶ）と通信手段を介して接続されており、金券類入金処理機１０では買い上げ商品の販売額の情報をレジ２０側から受信して、購入代金として顧客より支払われた商品券などの金券類の額面と枚数と上記販売額とから、釣銭額演算手段によって演算された釣銭額と、金券類のうちの最小の額面のものとを比較して、前記釣銭額が該最小の額面を上回っている場合には、報知手段により報知するような入金処理をするようにしている。
【００１０】
図３は、金券類入金処理機１０の主要な機能をブロック図で示しており、金券類入金処理機１０は、全体を制御する制御部１１と、商品券の券上に設けられている金種コードを読取る識別部１２と、識別部１２にて読取った商品券の額面と枚数とレジ２０から送信された買い上げ商品の販売額とから、釣銭額演算手段によって釣銭額を演算する演算部（釣銭額演算部）１３と、釣銭額演算部１３にて演算された釣銭額と識別部１２にて読取った商品券のうちの最小の額面のものとを比較して換金行為の有無を判断する換金有無判断部１４と、当該釣銭額が当該最小の額面を上回っている場合には例えばブザーを鳴らすことにより報知する報知手段１５と、所定の通信インターフェイスによりレジ２０との間で情報の送受信を行うためのレジＩ／Ｆ部１６とを備えている。
【００１１】
図４（Ａ）及び（Ｂ）は、一般的な商品券の表面と裏面の一例を模式図で示しており、商品券Ａの表面には額面等が印刷されており、裏面には、発行企業コードを含む商品券の種類を示す券種コード、金種を示す金種コード等の券番号情報が印刷されている。この例では、同図（Ｂ）に示すように、商品券Ａの裏面に『Ｘ２４Ｙ８４３５１２＋００５』という券番号がＯＣＲ−Ｂフォントにて印刷されている。上記１４桁の記号のうち、頭の桁の「Ｘ」と４番目の桁の「Ｙ」と１１番目の桁の「＋」とは、どの商品券にも共通する固定の記号である。「Ｘ」の後の２桁の数字Ｃ１は券種コードを示すもので、ここに発行企業コードが含まれている。「Ｙ」の後の６桁の数字Ｃ２は発行企業に振られた商品券固有の番号を意味し、「＋」の後の３桁の数字Ｃ３は金種コードを示すものである。
【００１２】
上述のような構成において、本発明に係る金券類入金システムの動作例を説明する。先ず、商品の購入代金を商品券１枚で支払う場合を例として、図５のフローチャートの流れに沿って説明する。
【００１３】
顧客が例えば８９８０円の商品を購入し、その購入代金として額面１万円の商品券１枚にて支払った場合には、金券類入金処理機１０を操作するレジ２０のキャッシャは、最初にレジ２０のスキャナーで該商品をスキャンし（ステップＳ１）、その後顧客から受け取った商品券を金券類入金処理機１０の商品券投入部１に投入する（ステップＳ２）。金券類入金処理機１０はその内部に位置する識別部１２にて投入部から送られてきた商品券の券番号を読取り、この券番号の中に含まれている金種コードから額面を割り出すと共に、商品券の枚数を計数する（ステップＳ３）。そして、識別部１２にて識別された商品券の額面情報と枚数情報とからなる明細データと、レジＩ／Ｆ１４部を介してレジ２０側から送信された販売額情報とから釣銭額を演算し（ステップＳ４）、釣銭額の有無を判定し（ステップＳ５）、釣銭が無い場合は当該商品券を収納部４へ収納して取引を終了する（ステップＳ６）。上記の例の場合には、ステップＳ４において釣銭額１０２０円という演算結果を出し、そして、ステップＳ５において釣銭額有りという判定を下す。
【００１４】
一方、ステップＳ５において、釣銭額有りという判定が下されたら、該釣銭額が識別部１２にて識別された商品券のうちの最小の額面のものを上回っていないかの比較をする（ステップＳ７）。釣銭額が該最小の額面を上回っているのであれば、換金行為であると判明されて、報知手段を駆動して例えばブザーを鳴らしたり、操作／表示部５に表示を行ったりようにしてキャッシャに注意を促す（ステップＳ９）。一方、釣銭額が該最小の額面を上回っていないのであれば、正常と判断し、レジ２０のドロア（金銭払出し口）等から釣銭を支払うことになる（ステップＳ８）。上記の例の場合には、額面１万円の商品券１枚であるとの明細データから上記釣銭額１０２０円が額面金額１万円を上回っていないので正常と判断し、顧客に釣銭１０２０円を支払う（ステップＳ７、ステップＳ８）。
【００１５】
次に、商品の購入代金を複数枚の商品券で支払う場合を例として、同図５のフローチャートの流れに沿って説明する。
【００１６】
顧客が例えば８９８０円の商品を購入し、その購入代金として額面１０００円の商品券１０枚にて支払った場合（つまり顧客が８９８０円の商品を購入して額面１０００円の商品券９枚で支払うべきところを錯覚して１０枚差し出す場合或いは故意に換金目的をもって１０枚差し出す場合）には、金券類入金処理機１０を操作するレジ２０のキャッシャは、最初にレジ２０のスキャナーで該商品をスキャンし（ステップＳ１）、その後顧客から受け取った商品券を一括して金券類入金処理機１０の商品券投入部１に投入する（ステップＳ２）。金券類入金処理機１０は、商品券投入部１で一括にて複数枚の投入を受け付けるが、最下層に位置するものから順次１枚ずつ識別部１２に送るようになされている。金券類入金処理機１０はその内部に位置する識別部１２にて順次に投入部から送られてきた商品券の券番号を読取り、この券番号の中に含まれている金種コードから額面を割り出すと共に、商品券の枚数を計数する（ステップＳ３）。そして、識別部１２にて識別された商品券の額面情報と枚数情報とからなる明細データ（ここでは額面１０００円の商品券１０枚である）と、レジＩ／Ｆ１４部を介してレジ２０側から送信された販売額情報（ここでは８９８０円）とから釣銭額を演算し（ステップＳ４）、釣銭額の有無を判定し（ここでは釣銭額が１０２０円である）（ステップＳ５）、この例において釣銭額有りという判定を下す。次は該釣銭額が識別部１２にて識別された商品券のうちの最小の額面のものを上回っていないかの比較をする（ステップＳ７）。このケースにおいては、上記釣銭額１０２０円が商品券のうちの最小の額面１０００円を上回っているので、換金行為と判明されて、報知手段を駆動して例えばブザーを鳴らしたり、操作／表示部５に表示を行ったりようにしてキャッシャに注意を促す（ステップＳ９）、換金行為の発生を防止することができる。
なお、上記ステップＳ３において、もし、当該商品券が汚れ等のために識別部１２にて読取ることができなければ、ジェクト部２へリジェクトする。図１に示した一時保留部３は、識別部１２が読取った額面と顧客の申告した額面に相違があった際に、顧客に現物の商品券を返却して確認してもらうためや、換金行為となることが判明して顧客に返却する必要が生じた場合に備えて設けてある。
【００１７】
上記相違あるいは換金行為への該当がなければ、商品券投入部１に投入された商品券は、識別部１２を経て一時保留部３へ送られ、操作／表示部５による確定操作により、最終的に収納部４へと送られる。
【００１８】
なお、上述した実施の形態においては、釣銭額演算部１３と換金有無判断部１４と報知手段１５とを金券類入金処理機１０側に備え、金券類入金処理機１０側で釣銭に係る処理を行うものとして説明したが、レジ２０側にて処理するようにしても良い。この場合、金券類入金処理機１０側では、商品券等の金券上に設けられている金種コードを読取る識別手段を有し、該識別手段にて読取った前記購入代金として顧客より支払われた商品券等の金券類の額面情報と枚数情報とをレジ２０側に送信する。そして、レジ２０側には、買い上げ商品の販売額と、金券類入金処理機１０側から送信された額面情報及び枚数情報とから釣銭額を演算する釣銭額演算手段を設け、該釣銭額演算手段によって演算された釣銭額と、額面情報のうちの最小の額面のものとを比較して、釣銭額が該最小の額面を上回っている場合には、報知手段により報知する実施形態とすれば良い。
【００１９】
また、上述した実施の形態においては、処理対象の金券類は商品券に限るものではなく、有価情報を有する券類であれば、本発明を適用することができる。
【００２０】
【発明の効果】
以上のように、本発明によれば、金券類の持つ特徴の１つである換金防止について、単純に当該金券類の額面金額の合計として扱うのではなく、額面と枚数とから成る明細データとして扱うことによって、買い上げ商品の販売額と顧客より支払われた金券類の額面情報及び枚数情報とから演算された釣銭額と支払われた金券類の最小額面との比較を行うことで換金行為の有無の判断ができ、換金となる場合には報知手段を駆動してキャッシャに注意を促すようにしているので、人手で換金行為の有無を判断する必要が無くなり、キャッシャの負担を軽減することができる。
【図面の簡単な説明】
【図１】本発明に係る金券類入金システムの一部を構成する金券類入金処理機の外観構成の一例を示す斜視図である。
【図２】本発明に係る金券類入金処理機とレジとの接続形態の一例を示す図である。
【図３】本発明に係る金券類入金処理機の主要な機能を示すブロック図である。
【図４】一般的な商品券の表面と裏面の一例を説明するための模式図である。
【図５】本発明に係る金券類入金システムの動作例を説明するためのフローチャートである。
【符号の説明】
Ａ  商品券
Ｃ１  券種コード
Ｃ２  商品券固有番号
Ｃ３  金種コード
１  商品券投入部
２  リジェクト部
３  一時保留部
４  収納部
５  操作／表示部
１０  金券類入金処理機
１１  制御部
１２  識別部
１３  釣銭額演算部
１４  換金有無判断部
１５  報知手段
１６  レジＩ／Ｆ部
２０  レジスタ
【図１】
0004050866.tif 000002
【図２】
0004050866.tif 000003
【図３】
0004050866.tif 000004
【図４】
0004050866.tif 000005
【図５】
0004050866.tif 000006